(57)【要約】【課題】部品の位置ずれを抑制できるテレビジョン受像装置を提供する。【解決手段】一つの実施の形態に係るテレビジョン受像装置は、基板と、導電部と、拡張部と、部品と、端子と、半田と、を備える。前記導電部は、第１の方向に延びるとともに第２の方向に並ぶ。前記拡張部は、前記導電部の一方の端部および他方の端部から離れて前記導電部に設けられ、前記第１の方向と交差する方向に突出し、前記第２の方向に並ぶ。前記端子は、前記部品から突出する第１の部分と、前記第１の部分から連続するとともに前記導電部に対向し、第１の端部、および、前記第１の端部よりも前記部品の近くに位置する第２の端部、を有し、前記第２の方向に並ぶ第２の部分と、を有する。前記半田は、前記第２の部分を前記導電部に電気的に接続する。前記第２の部分の前記第２の端部は、前記導電部の前記拡張部が設けられた部分の上に位置する。【選択図】図３
2014229816.tif 000002
【特許請求の範囲】
【請求項１】
基板と、
前記基板に設けられ、第１の方向に延びるとともに前記第１の方向と交差する第２の方向に並んで配置された複数の導電部と、
前記導電部の一方の端部および他方の端部から離れて前記複数の導電部に設けられ、前記第１の方向と交差する方向に突出し、前記第２の方向に並ぶ複数の拡張部と、
部品と、
前記部品から突出する第１の部分と、前記第１の部分から連続するとともに前記複数の導電部に対向し、第１の端部、および、前記第１の端部の反対側であって前記第１の端部よりも前記部品の近くに位置する第２の端部、を有し、前記第２の方向に並ぶ第２の部分と、を有する複数の端子と、
前記複数の端子の前記第２の部分を前記複数の導電部に電気的に接続する複数の半田と、
を具備し、
前記複数の端子の前記第２の部分の前記第２の端部は、前記導電部の前記拡張部が設けられた部分の上に位置するテレビジョン受像装置。
【請求項２】
基板と、
前記基板に設けられ、第１の方向に延びるとともに前記第１の方向と交差する第２の方向に並んで配置された複数の第１の導電部と、
前記複数の第１の導電部に設けられ、前記第１の方向と交差する方向に突出する複数の拡張部と、
部品と、
前記部品から突出する第１の部分と、前記第１の部分から連続するとともに前記第１の導電部に対向し、第１の端部、および、前記第１の端部の反対側であって前記第１の端部よりも前記部品の近くに位置する第２の端部、を有する第２の部分と、を有する複数の第１の端子と、
前記複数の第１の端子の前記第２の部分を前記複数の第１の導電部に電気的に接続する、溶融可能な複数の第１の接続部材と、
を具備し、
前記複数の第１の端子の前記第２の部分の前記第２の端部は、前記第１の導電部の前記拡張部が設けられた部分の上に位置する電子機器。
【請求項３】
前記拡張部は、前記第１の導電部の一方の端部および他方の端部から離れて設けられた請求項２に記載の電子機器。
【請求項４】
前記複数の拡張部が前記第２の方向に並ぶ、請求項３に記載の電子機器。
【請求項５】
前記第１の端子の前記第２の部分が、前記第２の方向に並ぶ請求項４に記載の電子機器。
【請求項６】
前記基板に設けられ、前記第１の方向に延び、前記複数の第１の導電部とともに前記第２の方向に並んで配置された第２の導電部と、
前記部品に設けられるとともに前記第２の導電部に面する第２の端子と、
前記第２の端子を前記第２の導電部に電気的に接続する、溶融可能な第２の接続部材と、
をさらに具備する請求項２ないし５のいずれか一つに記載の電子機器。
【請求項７】
基板と、
前記基板に設けられ、第１の方向に延びるとともに前記第１の方向と交差する第２の方向に並んで配置された複数の導電部と、
前記複数の導電部に設けられ、前記第１の方向と交差する方向に突出する複数の拡張部と、
部品と、
前記部品から突出する第１の部分と、前記第１の部分から連続するとともに前記複数の導電部に対向し、第１の端部、および、前記第１の端部の反対側であって前記第１の端部よりも前記部品の近くに位置する第２の端部、を有する第２の部分と、を有する複数の端子と、
前記複数の端子の前記第２の部分を前記複数の導電部に電気的に接続する、溶融可能な複数の接続部材と、
を具備し、
前記複数の端子の前記第２の部分の前記第２の端部は、前記導電部の前記拡張部が設けられた部分の上に位置するモジュール。
【発明の詳細な説明】
【技術分野】
【０００１】
本発明の実施形態は、テレビジョン受像装置、電子機器およびモジュールに関する。
【背景技術】
【０００２】
テレビジョン受像装置やその他の電子機器において、基板に表面実装部品が実装されることがある。当該表面実装部品は、例えば半田によって、前記基板に設けられたフットプリント（パッド）に接続される。
【先行技術文献】
【特許文献】
【０００３】
【特許文献１】特開平４−７１２９０号公報
【発明の概要】
【発明が解決しようとする課題】
【０００４】
例えば、実装時に溶融した半田が、前記表面実装部品の端子に引張力を生じさせることがある。当該引張力によって、前記表面実装部品が所望の位置からずれる可能性がある。
【０００５】
本発明が解決しようとする課題の一つは、部品の位置ずれを抑制できるテレビジョン受像装置、電子機器およびモジュールを提供することにある。
【課題を解決するための手段】
【０００６】
一つの実施の形態に係るテレビジョン受像装置は、基板と、複数の導電部と、複数の拡張部と、部品と、複数の端子と、複数の半田と、を備える。前記複数の導電部は、前記基板に設けられ、第１の方向に延びるとともに前記第１の方向と交差する第２の方向に並んで配置される。前記複数の拡張部は、前記導電部の一方の端部および他方の端部から離れて前記複数の導電部に設けられ、前記第１の方向と交差する方向に突出し、前記第２の方向に並ぶ。前記複数の端子は、前記部品から突出する第１の部分と、前記第１の部分から連続するとともに前記複数の導電部に対向し、第１の端部、および、前記第１の端部の反対側であって前記第１の端部よりも前記部品の近くに位置する第２の端部、を有し、前記第２の方向に並ぶ第２の部分と、を有する。前記複数の半田は、前記複数の端子の前記第２の部分を前記複数の導電部に電気的に接続する。前記複数の端子の前記第２の部分の前記第２の端部は、前記導電部の前記拡張部が設けられた部分の上に位置する。
【図面の簡単な説明】
【０００７】
【図１】第１の実施の形態に係るテレビジョン受像装置を示す正面図。
【図２】第１の実施形態のモジュールを示す平面図。
【図３】第１の実施形態のメイン基板と基板コネクタとを示す平面図。
【図４】第１の実施形態のメイン基板および基板コネクタを示す断面図。
【図５】第１の実施形態のパッドに接続される端子を示す断面図。
【図６】第１の実施形態の実装時のメイン基板と基端コネクタとを示す断面図。
【図７】第２の実施の形態に係るメイン基板と基板コネクタとを示す平面図。
【図８】第３の実施の形態に係るメイン基板と基板コネクタとを示す平面図。
【図９】第４の実施の形態に係るメイン基板と基板コネクタとを示す平面図。
【図１０】第５の実施の形態に係るメイン基板と基板コネクタとを示す平面図。
【図１１】第５の実施形態のメイン基板および基板コネクタを示す断面図。
【図１２】第６の実施の形態に係るポータブルコンピュータを示す斜視図。
【発明を実施するための形態】
【０００８】
以下に、第１の実施の形態について、図１から図６を参照して説明する。なお、本明細書において、手前側（すなわちユーザ側）を前方、ユーザから見て遠い側を後方、ユーザから見て左側を左方、ユーザから見て右側を右方、ユーザから見て上側を上方、ユーザから見て下側を下方と定義する。さらに、複数の表現が可能な各要素に、一つ以上の他の表現の例を付すことがある。しかし、これは、他の表現が付されていない要素について異なる表現がされることを否定するものではないし、例示されていない他の表現がされることを制限するものでもない。また、各図面は実施形態を概略的に示すものであり、図面に示される各要素の寸法、形状、および配置は、実施形態の説明および他の図面と異なることがある。
【０００９】
図１は、第１の実施の形態に係るテレビジョン受像装置（以下、テレビと称する）１を示す正面図である。テレビ１は、テレビジョン受像装置の一例であるとともに、電子機器の一例である。
【００１０】
図１に示すように、テレビ１は、液晶テレビのようないわゆる薄型テレビである。テレビ１は、筐体１０と、ディスプレイ１１と、スタンド１２と、モジュール１３とを備えている。
【００１１】
筐体１０は、扁平な箱型に形成されている。筐体１０の表面１０ａに、矩形状のディスプレイ開口２１が形成されている。ディスプレイ開口２１は、例えば透明なガラス板によって覆われている。
【００１２】
ディスプレイ１１は、例えば液晶ディスプレイである。ディスプレイ１１は、画像を表示させる表示面２３を有している。なお、本明細書において画像とは、動画および静止画を含む。ディスプレイ１１は、筐体１０に収容されている。表示面２３の少なくとも一部は、ディスプレイ開口２１によって露出されている。
【００１３】
スタンド１２は、筐体１０に取り付けられている。スタンド１２は、テレビ１が載置される例えばテレビ台の載置面に対してテレビ１が起立するように、筐体１０を支持している。
【００１４】
図１に破線で示すように、モジュール１３は、筐体１０に収容されている。モジュール１３は、種々の部品を有するとともに、ディスプレイ１１に接続されてディスプレイ１１を制御する。
【００１５】
図２は、モジュール１３を示す平面図である。図２に示すように、モジュール１３は、メイン基板２５と、サブ基板２６と、冷却装置２７とを有している。メイン基板２５は、基板の一例である。
【００１６】
メイン基板２５およびサブ基板２６は、例えばプリント配線板（ＰＣＢ）である。メイン基板２５は、実装面３１を有している。実装面３１に、種々の部品が実装されている。例えば、ＭＰＵ３３と、ＵＳＢコネクタ３４と、基板コネクタ３５と、チューナ部品３６とが、実装面３１に実装されている。基板コネクタ３５は、部品の一例である。
【００１７】
メイン基板２５の実装面３１と反対側の面にも、種々の部品が実装されている。例えば、当該面に、アンテナケーブルの端子が実装されている。当該端子は、チューナ部品３６に電気的に接続されるとともに、筐体１０の背面から突出する。当該端子にアンテナケーブルが接続されることで、チューナ部品３６はテレビジョン信号を受信する。
【００１８】
メイン基板２５に、第１の切欠き３７と、第２の切欠き３８とが設けられている。第１および第２の切欠き３７，３８は、メイン基板２５の角部にそれぞれ設けられている。第１の切欠き３７に、図２に二点鎖線で示されるサブ基板２６が配置される。第２の切欠き３８に、冷却装置２７が配置される。
【００１９】
基板コネクタ３５は、第１の切欠き３７の縁に沿って配置されている。サブ基板２６は、基板コネクタ３５に接続される端子を有している。サブ基板２６の当該端子が基板コネクタ３５に接続されることで、サブ基板２６がメイン基板２５に電気的に接続される。
【００２０】
冷却装置２７は、ファン４１と、ヒートパイプ４２とを有している。ヒートパイプ４２は、ファン４１から延びるとともに、ＭＰＵ３３に熱的に接続されている。ファン４１は、ヒートパイプ４２を介してＭＰＵ３３を冷却するとともに、筐体１０の内部に空気の流れを生じさせ、他の部品を冷却する。
【００２１】
図３は、メイン基板２５の一部と基板コネクタ３５とを概略的に示す平面図である。図４は、図３のＦ４−Ｆ４線に沿ってメイン基板２５の一部および基板コネクタ３５を示す断面図である。図３および図４に示されるメイン基板２５と基板コネクタ３５とは、説明のため簡略化され、そのため図２に示されるメイン基板２５および基板コネクタ３５と異なる形状を有する。
【００２２】
図３に示すように、メイン基板２５の実装面３１に、フットプリント５０が設けられている。フットプリント５０は、複数のパッド５１を有している。複数のパッド５１は、複数の導電部および複数の第１の導電部の一例であり、ランド、接続部、または導体パターンのようにも称され得る。複数のパッド５１は、メイン基板２５に形成された回路の一部である。
【００２３】
パッド５１は、図３に示す第１の方向Ｄ１に延びた矩形状に形成されている。第１の方向Ｄ１は、基板コネクタ３５が沿う第１の切欠き３７の直線状の縁に直交する方向である。なお、第１の方向Ｄ１はこれに限らない。また、パッド５１は矩形状に限らず、楕円形や多角形のような他の形状であっても良い。
【００２４】
複数のパッド５１は、図３に示す第２の方向Ｄ２に、等間隔に並んで配置されている。第２の方向Ｄ２は、第１の切欠き３７の前記縁に沿う方向である。すなわち、第１の方向Ｄ１と第２の方向Ｄ２とは直交する。なお、第２の方向Ｄ２はこれに限らず、第１の方向Ｄ１に対して９０度以外の角度で傾いた方向であっても良い。
【００２５】
パッド５１に、一対の拡張部５４がそれぞれ設けられている。拡張部５４は、幅広部、半田溜まり形成部、または張出部のようにも称され得る。拡張部５４は、パッド５１と一体に形成されている。
【００２６】
拡張部５４は、矩形状のパッド５１から、当該パッド５１の幅方向に張り出している。言い換えると、拡張部５４は、第２の方向Ｄ２に向くパッド５１の側縁から、第１の方向Ｄ１と交差する方向に突出している。さらに言い換えると、パッド５１に局所的に、他の部分よりも幅が広い部分が形成されている。拡張部５４は、例えば半円状に形成されている。
【００２７】
拡張部５４は、パッド５１の長手方向（第１の方向Ｄ１）におけるパッド５１の一方の端部５１ａおよび他方の端部５１ｂから離れて設けられている。拡張部５４とパッド５１の一方の端部５１ａとの間の距離は、拡張部５４とパッド５１の他方の端部５１ｂとの間の距離よりも長い。言い換えると、拡張部５４は、パッド５１の一方の端部５１ａよりも、他方の端部５１ｂに近い。
【００２８】
複数の拡張部５４は、第２の方向Ｄ２に並んで配置されている。言い換えると、複数の拡張部５４は、第１の切欠き３７の前記縁に沿って並んでいる。このため、一つのパッド５１に設けられた拡張部５４は、当該パッド５１に隣接する他のパッド５１に設けられた拡張部５４に隣接する。
【００２９】
基板コネクタ３５は、表面実装部品である。基板コネクタ３５に、複数の端子６０が設けられている。複数の端子６０は、複数のパッド５１に電気的に接続される。図４に示すように、端子６０は、ガルウイング型（Ｌ型）に形成されている。端子６０は、第１の部分６１と、第２の部分６２とを有している。第１の部分６１は、基部、延出部、またはＬ字部のようにも称され得る。第２の部分６２は、先端部、接続部、または固定部のようにも称され得る。
【００３０】
第１の部分６１は、基板コネクタ３５の側端部３５ａから突出している。図３に示すように、基板コネクタ３５の側端部３５ａは、第１の方向Ｄ１に向くとともに、第２の方向Ｄ２に沿って延びている。このため、第１の部分６１は、第２の方向Ｄ２に並んで配置されている。
【００３１】
図４に示すように、第１の部分６１は、基板コネクタ３５の側端部３５ａから、メイン基板２５の実装面３１に対して平行に延びる部分６１ａと、当該部分６１ａの先端から、実装面３１に対して垂直に延びる部分６１ｂとを有している。言い換えると、第１の部分６１は、Ｌ字状に形成されている。なお、第１の部分６１の形状はこれに限らない。例えば、第１の部分６１は、基板コネクタ３５の側端部３５ａから、実装面３１に向かって斜めに延びても良い。
【００３２】
第２の部分６２は、第１の部分６１の垂直に延びる部分６１ｂの先端から、第１の方向Ｄ１に向かって延びている。言い換えると、第２の部分６２は、第１の部分６１から連続している。
【００３３】
第２の部分６２は、メイン基板２５の実装面３１と、第１の部分６１の基板コネクタ３５から延びる部分６１ａと、に対して平行に延びている。なお、第２の部分６２はこれに限らず、実装面３１と第１の部分６１の前記部分６１ａとに対して傾斜しても良い。
【００３４】
第２の部分６２は、対応するパッド５１に対向している。パッド５１に対向する第２の部分６２の下面６２ａの面積は、パッド５１の面積よりも小さい。このため、第２の部分６２は、パッド５１が形成された範囲内に配置されている。
【００３５】
第２の部分６２は、第１の端部６２ｂと、第２の端部６２ｃとを有している。第１の端部６２ｂは、端子６０の先端である。第２の端部６２ｃは、第１の端部６２ｂの反対側に位置する。このため、第２の端部６２ｃは、第１の端部６２ｂよりも基板コネクタ３５の近くに位置している。第２の端部６２ｃは、第２の方向Ｄ２に並んでいる。
【００３６】
図５は、図４のＦ５−Ｆ５線に沿って、一つのパッド５１に接続される一つの端子６０を示す断面図である。第２の部分６２の第１の端部６２ｂは、図５に示す端子６０の断面と同様の、矩形状の端面を形成する。当該端面の四つの辺は、当該端面と、当該端面に隣接する第２の部分６２の下面６２ａ、上面６２ｄ、右側面６２ｅおよび左側面６２ｆとの稜を形成する。
【００３７】
図４に示すように、第２の部分６２の第２の端部６２ｃは曲面状に形成されている。当該第２の部分６２の第２の端部６２ｃは、第１の部分６１の基板コネクタ３５に向く面に連続している。このため、第２の部分６２の第２の端部６２ｃは、第１の部分６１とともに、実装面３１に対して垂直に延びる端面を形成する。第２の部分６２の第２の端部６２ｃが形成する端面の面積は、第１の端部６２ｂが形成する端面の面積よりも広い。
【００３８】
図４において、パッド５１の、拡張部５４が設けられた部分Ｐが、二つの一点鎖線の間に示される。第２の部分６２の第２の端部６２ｃは、パッド５１の、拡張部５４が設けられた部分Ｐの上に位置している。なお、「部分Ｐの上に位置する」とは、部分Ｐの上方に存在することに限らず、前記部分Ｐに重なる位置に存在することを意味する。第２の部分６２の第２の端部６２ｃと、実装面３１との間に、パッド５１の前記部分Ｐが存在する。
【００３９】
上述の端子６０の形状は、以下のように言い換えることができる。すなわち、パッド５１に対向する第２の部分６２が設けられ、当該第２の部分６２の第２の端部６２ｃから、第１の部分６１の一部分６１ｂが立ち上がっている。第１の部分６１の当該部分６１ｂの先端から、第２の部分６２と平行に、第１の部分６１の他の部分６１ａが延びている。
【００４０】
端子６０の第２の部分６２は、半田６６によって、対応するパッド５１に電気的に接続されている。半田６６は、溶融可能な第１の接続部材の一例である。半田６６は、端子６０の第２の部分６２と、パッド５１との間に介在している。
【００４１】
半田６６は、端子６０の第２の部分６２の下面６２ａと、第１の端部６２ｂと、第２の端部６２ｃとに付着している。さらに、図５に示すように、半田６６は、第２の部分６２の右側面６２ｅおよび左側面６２ｆに付着している。端子６０の第２の部分６２の下面６２ａの面積が、パッド５１の面積よりも狭いため、半田６６がフィレットを形成する。
【００４２】
基板コネクタ３５は、例えば以下のようにメイン基板２５に実装される。まず、フットプリント５０の複数のパッド５１に、それぞれ半田６６である半田ペーストが塗布される。次に、基板コネクタ３５がフットプリント５０の上に位置決めされる。これにより、端子６０の第２の部分６２が、当該半田ペーストの上から、対応するパッド５１に乗せられる。
【００４３】
図６は、実装作業時のメイン基板２５の一部と基板コネクタ３５とを示す断面図である。図６に示すように、基板コネクタ３５の位置決めの際に、端子６０の第２の部分６２は、パッド５１の拡張部５４が設けられた部分Ｐと、パッド５１の一方の端部５１ａとの間に配置される。パッド５１の拡張部５４が設けられた部分Ｐと、パッド５１の一方の端部５１ａとの間の領域は、第２の部分６２の下面６２ａよりも広い。このため、第２の部分６２は、パッド５１の拡張部５４が設けられた部分Ｐと、パッド５１の一方の端部５１ａとの間の領域内に位置する。
【００４４】
基板コネクタ３５の位置決めがされた後、例えばメイン基板２５がリフロー炉に入れられ、前記半田ペーストが溶融される。溶融した半田ペースト（半田６６）は、端子６０の第２の部分６２の、下面６２ａ、第１の端部６２ｂ、第２の端部６２ｃ、上面６２ｄ、右側面６２ｅおよび左側面６２ｆに付着する。溶融した半田６６は、例えばその表面張力によって、端子６０に対する引張力を生じさせる。
【００４５】
図５に示すように、溶融した半田６６は、パッド５１の幅方向（第２の方向Ｄ２）において、端子６０の第２の部分６２に対し、第１の引張力Ｆ１と、第２の引張力Ｆ２とを生じさせる。第１の引張力Ｆ１は、端子６０の第２の部分６２の右側面６２ｅにかかる力である。第２の引張力Ｆ２は、第２の部分６２の左側面６２ｆにかかる力である。
【００４６】
半田６６が溶融すると、端子６０は、第１の引張力Ｆ１と、第２の引張力Ｆ２とが釣り合う位置に移動しようとする。半田６６が生じさせる引張力は、端子６０の各面において半田６６が形成するフィレットの大きさに影響される。このため、端子６０の第２の部分６２は、パッド５１の幅方向におけるパッド５１の中央部に移動しようとする。
【００４７】
図６に示すように、溶融した半田６６は、パッド５１の長さ方向（第１の方向Ｄ１）において、端子６０の第２の部分６２に対し第３の引張力Ｆ３と、第４の引張力Ｆ４とを生じさせる。第３の引張力Ｆ３は、第２の部分６２の第１の端部６２ｂにかかる力である。第４の引張力Ｆ４は、第２の部分６２の第２の端部６２ｃにかかる力である。
【００４８】
上述のように、第２の部分６２の第２の端部６２ｃが形成する端面の面積は、第１の端部６２ｂが形成する端面の面積よりも広い。このため、第２の端部６２ｃが形成する端面において半田６６が形成するフィレットの大きさは、第１の端部６２ｂが形成する端面において半田６６が形成するフィレットの大きさよりも大きい。したがって、第４の引張力Ｆ４は、第３の引張力Ｆ３よりも大きくなる。
【００４９】
半田６６が溶融すると、第３の引張力Ｆ３と第４の引張力Ｆ４との差によって、端子６０は、第２の部分６２の第２の端部６２ｃが向く方向に移動しようとする。パッド５１の幅は長さ方向（第１の方向Ｄ１）において均一であるため、パッド５１上の溶融した半田６６の厚さも均一となる。当該厚さが均一な溶融半田６６の上では、第２の部分６２が滑りやすい。これにより、第２の部分６２の第２の端部６２ｃは、拡張部５４と、パッド５１の拡張部５４が設けられた部分Ｐとに近づく。
【００５０】
拡張部５４と、パッド５１の拡張部５４が設けられた部分Ｐとにおいて、溶融した半田６６は、半田溜まりを形成する。言い換えると、拡張部５４と、パッド５１の拡張部５４が設けられた部分Ｐとでは、パッド５１の他の部分よりも、単位面積当たりの半田６６の量が多くなる。
【００５１】
移動する第２の部分６２の第２の端部６２ｃは、パッド５１の拡張部５４が設けられた部分Ｐに到達する。この時、第２の部分６２の第２の端部６２ｃは、前記半田溜まりによって、第２の部分６２の第２の端部６２ｃを当該部分Ｐの上に留めようとする力がかけられる。これにより、第２の部分６２の第２の端部６２ｃは、当該部分Ｐの上に留まる。
【００５２】
その後、半田６６が硬化させられることにより、端子６０が対応するパッド５１に電気的に接続される。これにより、メイン基板２５への基板コネクタ３５の実装作業が完了する。
【００５３】
メイン基板２５への基板コネクタ３５の実装作業は、上述のものに限らない。例えば、パッド５１の拡張部５４が設けられた部分Ｐと、パッド５１の一方の端部５１ａとの間に配置された端子６０の第２の部分６２は、移動せずに、当該配置された位置に留まっていても良い。
【００５４】
第１の実施形態のテレビ１によれば、パッド５１に、パッド５１の延びる方向（第１の方向Ｄ１）と交差する方向に突出する拡張部５４が設けられる。言い換えると、パッド５１に、局所的に幅広の部分が設けられる。このようなパッド５１に、半田６６によって端子６０の第２の部分６２が接続される。接続時に、溶融する半田６６の表面張力によって、端子６０に引張力がかかる。
【００５５】
端子６０の第２の部分６２において、第２の端部６２ｃは、第１の部分６１から連続するため、溶融した半田６６が付着する（濡れ広がる）部分が第１の端部６２ｂよりも大きくなる。このため、第２の端部６２ｃに、第１の端部６２ｂにかかる第３の引張力Ｆ３よりも強い、第４の引張力Ｆ４がかかる。第４の引張力Ｆ４によって、端子６０の第２の部分６２は、第２の端部６２ｃが向く方向に向かって移動しようとする。
【００５６】
第２の部分６２の第２の端部６２ｃは、パッド５１の、拡張部５４が設けられた部分Ｐの上に位置する。パッド５１の当該部分Ｐは、拡張部５４が設けられることにより、他の部分よりも多くの半田６６が集まる。言い換えると、パッド５１の当該部分Ｐと拡張部５４とに、半田溜まりが形成される。これにより、端子６０の第２の部分６２が第４の引張力Ｆ４によって移動しようとしても、第２の部分６２は、パッド５１の拡張部５４が設けられた部分Ｐに留められる。したがって、溶融した半田６６によって端子６０および基板コネクタ３５が移動することが抑制され、基板コネクタ３５の位置ずれが抑制される。
【００５７】
例えば、複数のパッド５１が形成する列において、一端に位置するパッド５１に対する端子６０の位置ずれと、他端に位置するパッド５１に対する端子６０の位置ずれとに差が生じると、フットプリント５０の向きに対して、基板コネクタ３５の向きがずれる。言い換えると、基板コネクタ３５に回転方向の位置ずれが生じる。この場合、基板コネクタ３５や、基板コネクタ３５に接続されたサブ基板２６が、メイン基板２５や、メイン基板２５に実装された部品に干渉するおそれがある。しかし、第１の実施形態のテレビ１においては、上述のように基板コネクタ３５の位置ずれが抑制される。全てのパッド５１に拡張部５４が設けられることで、どのパッド５１の上で端子６０の移動が生じたとしても、回転方向の位置ずれは抑制される。したがって、第１の実施形態のテレビ１によれば、このような部品の干渉を抑制できる。
【００５８】
拡張部５４は、パッド５１の端部５１ａ，５１ｂから離れて配置される。これにより、端子６０が第４の引張力Ｆ４によって移動する場合の移動量を抑制でき、基板コネクタ３５の位置ずれを抑制できる。さらに、移動する端子６０がその慣性によってパッド５１の外にまで移動し、パッド５１と端子６０との接続不良が生じることを抑制できる。
【００５９】
端子６０の第２の部分６２の移動を留める拡張部５４が第２の方向Ｄ２に並べられることで、半田溜まりが第２の方向Ｄ２に並ぶ。これにより、端子６０の移動を効果的に抑制できる。
【００６０】
端子６０の第２の部分６２がパッド５１の拡張部５４と同じ方向（第２の方向Ｄ２）に並ぶことにより、基板コネクタ３５の向きと、フットプリント５０の向きとを揃えやすくなる。これにより、基板コネクタ３５または基板コネクタ３５に接続されるサブ基板２６が、メイン基板２５や、メイン基板２５に実装される部品に干渉することをさらに抑制できる。
【００６１】
次に、図７を参照して、第２の実施の形態について説明する。なお、以下に開示する複数の実施形態において、第１の実施形態のテレビ１と同様の機能を有する構成部分には同一の参照符号を付す。さらに、当該構成部分については、その説明を一部または全て省略することがある。
【００６２】
図７は、第２の実施の形態に係るメイン基板２５の一部と基板コネクタ３５とを示す平面図である。図７に示すように、メイン基板２５の実装面３１に、複数の第１のパッド７１と、複数の第２のパッド７２とが設けられている。第１のパッド７１は、第１の導電部の一例である。第２のパッド７２は、第２の導電部の一例である。
【００６３】
第１のパッド７１は、第１の実施形態のパッド５１と同じものであり、拡張部５４が設けられている。このため、第１のパッド７１についての説明は省略する。
【００６４】
第２のパッド７２は、第１の方向Ｄ１に延びた矩形状に形成されている。第２のパッド７２の大きさは、拡張部５４を除いた第１のパッド７１の大きさと等しい。なお、第２のパッド７２の形状および大きさはこれに限らない。
【００６５】
複数の第２のパッド７２は、複数の第１のパッド７１とともに、第２の方向Ｄ２に、等間隔に並んで配置されている。第１のパッド７１と第２のパッド７２とは、第２の方向Ｄ２において交互に配置されている。
【００６６】
基板コネクタ３５に、複数の第１の端子７４と、複数の第２の端子７５とが設けられている。第１および第２の端子７４，７５は、第１の実施形態の端子６０と同じものである。第１の端子７４は、第１のパッド７１に面する第２の部分６２を有している。第２の端子７５は、第２のパッド７２に面する第２の部分６２を有している。
【００６７】
第１の端子７４は、半田によって、第１のパッド７１に電気的に接続されている。当該半田は、溶融可能な第１の接続部材の一例である。第２の端子７５も、半田によって、第２のパッド７２に電気的に接続されている。当該半田は、溶融可能な第２の接続部材の一例である。第１および第２の端子７４，７５を第１および第２のパッド７１，７２に接続する前記半田は、第１の実施形態の半田６６と同じものである。
【００６８】
第２の実施形態のテレビ１によれば、拡張部５４が設けられた第１のパッド７１と、拡張部５４が無い第２のパッド７２とが設けられる。これにより、全てのパッドに拡張部５４を設ける場合よりも、材料費のようなテレビ１の製造コストを低減できる。
【００６９】
さらに、第１のパッド７１と第２のパッド７２とを等間隔で配置することで、第１のパッド７１と第２のパッド７２との間の隙間が、拡張部５４どうしが隣接する第１の実施形態よりも広くなる。したがって、第１および第２のパッド７１，７２の間で短絡が生じることを抑制できる。
【００７０】
次に、図８を参照して、第３の実施の形態について説明する。図８は、第３の実施の形態に係るメイン基板２５の一部と基板コネクタ３５とを示す平面図である。図８に示すように、メイン基板２５の実装面３１に、二つの第１のパッド７１と、複数の第２のパッド７２とが設けられている。
【００７１】
二つの第１のパッド７１は、第１および第２のパッド７１，７２が形成する列の両端に配置される。言い換えると、基板コネクタ３５の移動を抑制する第１のパッド７１は、第１および第２のパッド７１，７２の列の両端にのみ配置される。
【００７２】
第３の実施形態のように、第１のパッド７１が、第１および第２のパッド７１，７２の列の両端に配置されると、第１のパッド７１が前記列の他の位置に配置される場合よりも、基板コネクタ３５の向きと、フットプリント５０の向きとを揃えやすい。これにより、基板コネクタ３５または基板コネクタ３５に接続されるサブ基板２６が、メイン基板２５や、メイン基板２５に実装される部品に干渉することを抑制できる。
【００７３】
次に、図９を参照して、第４の実施の形態について説明する。図９は、第４の実施の形態に係るメイン基板２５の一部と基板コネクタ３５とを示す平面図である。図９に示すように、第４の実施形態の拡張部５４は、矩形状に形成されている。このように、拡張部５４の形状は、第１の実施形態に示される半円形に限らず、例えば矩形または三角形のような他の形状であっても良い。
【００７４】
次に、図１０および図１１を参照して、第５の実施の形態について説明する。図１０は、第５の実施の形態に係るメイン基板２５の一部と基板コネクタ３５とを示す平面図である。図１１は、図１０のＦ１１−Ｆ１１線に沿ってメイン基板２５の一部および基板コネクタ３５を示す断面図である。
【００７５】
図１０に示すように、メイン基板２５の実装面３１に、複数の第１のパッド８１と、複数の第２のパッド８２とが設けられている。複数の第１のパッド８１は、第１の実施形態のパッド５１と同じものであり、複数の第１の拡張部８３が設けられている。第１の拡張部８３は、第１の実施形態の拡張部５４と同じものである。
【００７６】
第２のパッド８２は、第１のパッド８１と同じ形状および大きさを有している。第２のパッド８２に、複数の第２の拡張部８４が設けられている。第２の拡張部８４は、第１の拡張部８３と同じものである。なお、第２のパッド８２の形状および大きさは、第１のパッド８１と異なっても良い。
【００７７】
複数の第１のパッド８１は、第２の方向Ｄ２に、等間隔に並んで配置されている。一方、複数の第２のパッド８２は、複数の第１のパッド８１よりも第１の切欠き３７から遠い位置で、第２の方向Ｄ２に、等間隔に並んで配置されている。言い換えると、第１のパッド８１の列と、第２のパッド８２の列とが、第１の切欠き３７と略平行に並んでいる。隣り合う二つの第１のパッド８１の間の距離は、第２のパッド８２の幅よりも短い。第１のパッド８１と第２のパッド８２とは、第２の方向Ｄ２において交互に配置されている。言い換えると、第１のパッド８１と第２のパッド８２とは、千鳥状に配置されている。なお、第１および第２のパッド８１，８２の位置はこれに限らない。
【００７８】
複数の第１の拡張部８３と、複数の第２の拡張部８４とは、それぞれ第２の方向Ｄ２に並んで配置されている。複数の第１の拡張部８３が形成する列と、複数の第２の拡張部８４が形成する列とは、略平行に延びている。第２の拡張部８４の列は、第１の拡張部８３の列よりも、基板コネクタ３５から遠い。
【００７９】
基板コネクタ３５に、複数の第１の端子８６と、複数の第２の端子８７とが設けられている。第１の端子８６は、第１の実施形態の端子６０と同じものである。第１の端子８６は、第１のパッド８１に面する第２の部分６２を有している。
【００８０】
第２の端子８７は、第１の実施形態の端子６０と同様に、第１の部分６１と、第２のパッド８２に面する第２の部分６２とを有している。図１１に示すように、第２の端子８７の第１の部分６１の基部６１ａは、第１の端子８６の第１の部分６１の基部６１ａよりも長い。このため、第２の端子８７の第２の部分６２の第２の端部６２ｃは、第１の端子８６の第２の部分６２の第２の端部６２ｃよりも、基板コネクタ３５から遠い。
【００８１】
第２の端子８７の第２の部分６２の第２の端部６２ｃは、第２のパッド８２の、第２の拡張部８４が設けられた部分Ｐ２の上に位置している。一方、第１の端子８６の第２の部分６２の第２の端部６２ｃは、第１のパッド８１の、第１の拡張部８３が設けられた部分Ｐ１の上に位置している。
【００８２】
第１の端子８６は、第１の半田８８によって、第１のパッド８１に電気的に接続されている。第１の半田８８は、第１の接続部材の一例である。第２の端子８７は、第２の半田８９によって、第２のパッド８２に電気的に接続されている。第２の半田８９は、第２の接続部材の一例である。第１および第２の半田８８，８９は、第１の実施形態の半田６６と同じものである。
【００８３】
第５の実施形態のテレビ１によれば、第１および第２のパッド８１，８２が互い違いに配置され、当該第１および第２のパッド８１，８２に、第１および第２の拡張部８３，８４がそれぞれ設けられる。これにより、基板コネクタ３５の端子数が多い場合であっても、第１および第２のパッド８１，８２の間で短絡が生じることを抑制できる。さらに、このような端子数が多い基板コネクタ３５であっても、実装時の位置ずれを抑制できる。
【００８４】
次に、図１２を参照して、第６の実施の形態について説明する。図１２は、第６の実施形態に係るポータブルコンピュータ１００を示す斜視図である。ポータブルコンピュータ１００は、電子機器の一例である。
【００８５】
ポータブルコンピュータ１００は、本体１０１と、ディスプレイ部１０２とを有している。本体１０１の端部は、ディスプレイ部１０２の端部に回動可能に連結されている。ディスプレイ部１０２は、ディスプレイ１１を有している。本体１０１は、第１の実施形態のモジュール１３と同様のモジュール１３を有している。
【００８６】
第６の実施形態に示すように、電子機器は、第１の実施形態のテレビジョン受像装置１に限らない。電子機器は、ポータブルコンピュータ１００や、タブレット型デバイス、携帯電話、スマートフォン、ゲーム機、複写機、プリンタ、製造装置、ロボット、および家庭用電気製品のような、電子部品を有するその他の機器であっても良い。
【００８７】
以上述べた少なくとも一つのテレビジョン受像装置によれば、端子の、第１の部分から連続する第２の部分の端部が、導電部の拡張部が設けられた部分の上に位置する。前記端子の前記第２の部分は、溶融可能な接続部材によって前記導電部に電気的に接続される。これにより、部品の位置ずれを抑制できる。
【００８８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００８９】
例えば、部品は基板コネクタ３５に限らない。部品は、例えばＱＦＰおよびＳＯＰのような、種々の表面実装部品であっても良い。また、接続部材は半田６６に限らず、溶融可能且つ導電性を有する部材であれば良い。
【００９０】
さらに、メイン基板２５のような基板または基板コネクタ３５のような部品に、位置決めピンのような、位置決め部が設けられても良い。当該位置決め部によって、基板に対する部品の位置決めを行うことにより、部品の位置ずれをさらに抑制できる。
【符号の説明】
【００９１】
１…テレビジョン受像装置、１３…モジュール、２５…メイン基板、３５…基板コネクタ、５１…パッド、５１ａ…一方の端部、５１ｂ…他方の端部、５４…拡張部、６０…端子、６１…第１の部分、６２…第２の部分、６２ｂ…第１の端部、６２ｃ…第２の端部、６６…半田、７１，８１…第１のパッド、７２，８２…第２のパッド、７４，８６…第１の端子、７５，８７…第２の端子、８３…第１の拡張部、８４…第２の拡張部、８８…第１の半田、８９…第２の半田、１００…ポータブルコンピュータ。
【図１】
2014229816.tif 000003
【図２】
2014229816.tif 000004
【図３】
2014229816.tif 000005
【図４】
2014229816.tif 000006
【図５】
2014229816.tif 000007
【図６】
2014229816.tif 000008
【図７】
2014229816.tif 000009
【図８】
2014229816.tif 000010
【図９】
2014229816.tif 000011
【図１０】
2014229816.tif 000012
【図１１】
2014229816.tif 000013
【図１２】
2014229816.tif 000014